(57)【要約】【課題】複数の音楽データの内容を直感的に判り易く表示して選択し易くする。【解決手段】この音楽データ利用システムでは、夫々にテキスト形式の付随情報Ａｄが付与された複数の音楽データ（自動演奏データ等）Ｄｍを利用することができ、付随情報Ａｄにはデータ名情報Ｎｍ及び音楽的案内情報Ｇｄが含まれる。また、複数の音楽的案内情報の夫々に対応するアイコンを表示するアイコン情報Ｉｃがアイコン情報記憶部ＩＭに記憶され、アイコン情報と案内情報とはアイコン対応テーブルＴＢで対応付けられている。所望の音楽データを選択して利用する際は、各音楽データＤｍの付随情報Ａｄを取得し、テーブルＴＢにより、付随情報Ａｄ中の音楽的案内情報Ｇｄに対応するアイコン情報Ｉｃを取得し、付随情報Ａｄ中のデータ名情報Ｎｍとアイコン情報Ｉｃに基づいて、各音楽データＤｍのデータ名Ｎｍ及びアイコンＩｃをセットで表示しユーザの選択操作を待つ。【選択図】図２
2010049032.tif 000002
【特許請求の範囲】
【請求項１】
複数の音楽的案内情報の夫々に対応付けて、当該音楽的案内情報に対応する図柄を表わすアイコンを表示するためのアイコン情報を記憶しているアイコン記憶手段と、
利用可能な複数の音楽データの夫々に付与されテキスト形式で記述された付随情報を取得する付随情報取得手段であって、各付随情報には、当該音楽データのデータ名及び音楽的内容を夫々表わす名称情報及び音楽的案内情報が含まれるものと、
付随情報取得手段により取得された付随情報中の音楽的案内情報に対応付けられているアイコン情報をアイコン記憶手段から取得するアイコン取得手段と、
付随情報取得手段により取得された付随情報中の名称情報及びアイコン取得手段により取得されたアイコン情報に基づき、各音楽データに対応してデータ名及びアイコンをセットで表示する表示手段と、
表示手段により表示された複数のデータ名及びアイコンのセットのうち一つのセットに対応する音楽データを指定するユーザ操作に応じて、この操作により指定された音楽データを取得する音楽データ取得手段と、
音楽データ取得手段により取得された音楽データに基づいて楽音信号を生成させる楽音生成指示手段と
を具備することを特徴とする電子音楽装置。
【請求項２】
各音楽データに付与される付随情報は複数の音楽的案内情報を含み、
前記表示手段は、所定の優先順位に従って１乃至複数のアイコンを順序付けて表示する
ことを特徴とする請求項１に記載の電子音楽装置。
【請求項３】
複数の音楽的案内情報の夫々に対応付けて、当該音楽的案内情報に対応する図柄を表わすアイコンを表示するためのアイコン情報を記憶しているアイコン記憶手段を具備し、電子音楽装置として機能するコンピュータに、
利用可能な複数の音楽データの夫々に付与されテキスト形式で記述された付随情報を取得する付随情報取得ステップであって、各付随情報には、当該音楽データのデータ名及び音楽的内容を夫々表わす名称情報及び音楽的案内情報が含まれるものと、
付随情報取得ステップで取得された付随情報中の音楽的案内情報に対応付けられているアイコン情報をアイコン記憶手段から取得するアイコン取得ステップと、
付随情報取得ステップで取得された付随情報中の名称情報及びアイコン取得ステップで取得されたアイコン情報に基づき、各音楽データに対応してデータ名及びアイコンをセットで表示する表示ステップと、
表示ステップで表示された複数のデータ名及びアイコンのセットのうち一つのセットに対応する音楽データを指定するユーザ操作に応じて、この操作により指定された音楽データを取得する音楽データ取得ステップと、
音楽データ取得ステップで取得された音楽データに基づいて楽音信号を生成させる楽音生成指示ステップと
から成る手順を実行させる音楽データ利用プログラム。
【発明の詳細な説明】
【技術分野】
【０００１】
この発明は、電子楽器などの電子音楽装置において、複数の音楽データから所望の音楽データを容易に選択し利用することができる音楽データ利用システムに関する。
【背景技術】
【０００２】
従来より、電子楽器などの電子音楽装置には、例えば、特許文献１に示されるように、複数の音楽データから所望の音楽データを選択して楽音生成に利用しようとする際に、各音楽データにユニークに対応付けられたアイコンを表示するものが知られている。
【特許文献１】特開２００６−２５９２１９号公報
【０００３】
また、電子楽器などの電子音楽装置において、よく知らない曲を練習用などでまとめた曲データで取得した場合、ユーザは、曲データのファイル名リストを見ても、どのような曲かのイメージがつかみにくい。この場合、上述のようにアイコンが付与されていて、各曲を識別することはできても、複数の曲について共通のイメージを掴むことは容易ではない。また、曲データにキーワードやジャンルがメタイベントで記述されていても、「ソング」と呼ばれる楽曲情報を再生してみないと、ユーザにはどのような曲か分からない。
【発明の開示】
【発明が解決しようとする課題】
【０００４】
この発明は、このような不都合に鑑み、複数の音楽データから所望の音楽データを選択して楽音生成に利用しようとする際に、各音楽データの内容を直感的に判り易く表示して所望の音楽データを選択し易くすることができる音楽データ利用システムを提供することを目的とする。
【課題を解決するための手段】
【０００５】
この発明の主たる特徴に従うと、複数の音楽的案内情報（Ｇｄａ１，Ｇｄａ２，…）の夫々に対応付けて（アイコン情報対応テーブルＴＢ：ＴＢａ，ＴＢｂ，…）、当該音楽的案内情報に対応する図柄を表わすアイコンを表示するためのアイコン情報（Ｉｃ１，Ｉｃ２，…：Ｉｃ）を記憶しているアイコン記憶手段（４；ＩＭ）と、利用可能な複数の音楽データ（Ｄｍ１〜Ｄｍｎ）の夫々（Ｄｍ）に付与されテキスト形式で記述された付随情報（Ａｄ）を取得する付随情報取得手段（Ｓ４）であって、各付随情報（Ａｄ）には、当該音楽データ（Ｄｍ）のデータ名及び音楽的内容を夫々表わす名称情報（Ｎｍ）及び音楽的案内情報（Ｇｄ：Ｇｄａ，Ｇｄｂ，…）が含まれるもの（Ｓ４）と、付随情報取得手段により取得された付随情報（Ａｄ）中の音楽的案内情報（Ｇｄ）に対応付けられているアイコン情報（Ｉｃ）をアイコン記憶手段（ＩＭ）から取得するアイコン取得手段（Ｓ６）と、付随情報取得手段により取得された付随情報（Ａｄ）中の名称情報（Ｎｍ）及びアイコン取得手段により取得されたアイコン情報（Ｉｃ）に基づき、各音楽データ（Ｄｍ）に対応してデータ名（Ｎｍ）及びアイコン（Ｉｃ）をセットで表示する表示手段（Ｓ５，Ｓ７）と、表示手段により表示された複数のデータ名（Ｎｍ）及びアイコン（Ｉｃ）のセットのうち一つのセットに対応する音楽データを指定するユーザ操作に応じて、この操作により指定された音楽データ（Ｄｍ）を取得する音楽データ取得手段（Ｓ９，Ｓ１０）と、音楽データ取得手段により取得された音楽データ（Ｄｍ）に基づいて楽音信号を生成させる楽音生成指示手段（Ｓ１０）とを具備する電子音楽装置〔請求項１〕、並びに、複数の音楽的案内情報（Ｇｄａ１，Ｇｄａ２，…）の夫々に対応付けて（アイコン情報対応テーブルＴＢ：ＴＢａ，ＴＢｂ，…）、当該音楽的案内情報に対応する図柄を表わすアイコンを表示するためのアイコン情報（Ｉｃ１，Ｉｃ２，…：Ｉｃ）を記憶しているアイコン記憶手段（４；ＩＭ）を具備し、電子音楽装置として機能するコンピュータに、利用可能な複数の音楽データ（Ｄｍ１〜Ｄｍｎ）の夫々（Ｄｍ）に付与されテキスト形式で記述された付随情報（Ａｄ）を取得する付随情報取得ステップ（Ｓ４）であって、各付随情報（Ａｄ）には、当該音楽データ（Ｄｍ）のデータ名及び音楽的内容を夫々表わす名称情報（Ｎｍ）及び音楽的案内情報（Ｇｄ：Ｇｄａ，Ｇｄｂ，…）が含まれるもの（Ｓ４）と、付随情報取得ステップで取得された付随情報（Ａｄ）中の音楽的案内情報（Ｇｄ）に対応付けられているアイコン情報（Ｉｃ）をアイコン記憶手段（ＩＭ）から取得するアイコン取得ステップ（Ｓ６）と、付随情報取得ステップで取得された付随情報（Ａｄ）中の名称情報（Ｎｍ）及びアイコン取得ステップで取得されたアイコン情報（Ｉｃ）に基づき、各音楽データ（Ｄｍ）に対応してデータ名（Ｎｍ）及びアイコン（Ｉｃ）をセットで表示する表示ステップ（Ｓ５，Ｓ７）と、表示ステップで表示された複数のデータ名（Ｎｍ）及びアイコン（Ｉｃ）のセットのうち一つのセットに対応する音楽データを指定するユーザ操作に応じて、この操作により指定された音楽データ（Ｄｍ）を取得する音楽データ取得ステップ（Ｓ９，Ｓ１０）と、音楽データ取得ステップで取得された音楽データ（Ｄｍ）に基づいて楽音信号を生成させる楽音生成指示ステップ（Ｓ１０）とから成る手順を実行させる音楽データ利用プログラム〔請求項３〕が提供される。なお、括弧書きは、理解の便のために付記した実施例の参照記号、用語、箇所等を表わし、以下においても同様である。
【０００６】
この発明による電子音楽装置は、各音楽データ（Ｄｍ）に付与される付随情報（Ａｄ）は複数の音楽的案内情報（Ｇｄａ，Ｇｄｂ，…：Ｇｄ）を含み、表示手段（Ｓ７）は、所定の優先順位に従って１乃至複数のアイコン（Ｉｃ）を順序付けて表示する〔請求項２〕ように構成することができる。
【発明の効果】
【０００７】
この発明による音楽データ利用システムでは（請求項１，３）、利用可能な複数の音楽データ（Ｄｍ１〜Ｄｍｎ）の夫々（Ｄｍ）は、音楽データ（Ｄｍ）のデータ名（曲名等の名称）を表わす名称情報（Ｎｍ）や、ジャンル、拍子、ビート、メロディ楽器の指定などの音楽的案内情報（Ｇｄａ，Ｇｄｂ，…：Ｇｄ）を含む付随情報（Ａｄ）がテキスト形式で付与されており、アイコン情報対応テーブル（ＴＢ：ＴＢａ，ＴＢｂ，…）などにより、各音楽的案内情報（Ｇｄ）に対応する図柄を表わすアイコンを表示するためのアイコン情報（Ｉｃ１，Ｉｃ２，…：Ｉｃ）が当該音楽的案内情報に対応付けて記憶されている。これら音楽データ（Ｄｍ１〜Ｄｍｎ）から所望の音楽データ（Ｄｍ）を選択し利用する際には、選択肢の各音楽データ（Ｄｍ）から付随情報（Ａｄ）を取得し、各音楽データ（Ｄｍ）について、音楽的案内情報（Ｇｄ）に対応するアイコン（Ｉｃ）をデータ名（Ｎｍ）と共に表示し、データ名（Ｎｍ）及びアイコン（Ｉｃ）をセットで列挙する。そして、列挙されたデータ名（Ｎｍ）及びアイコン（Ｉｃ）のセットの何れかに対するユーザの指定操作に応じて、操作に対応する音楽データ（Ｄｍ）を選択（指定）し、楽音生成に反映させる。従って、この発明によれば、選択肢となる複数の音楽データから所望の音楽データを選択して利用する際に、各音楽データに共通する（同じ）音楽的情報は共通の（同じ）アイコンで表示することにより、各音楽データの音楽的な内容をイメージで直感的に判り易く表示して所望の音楽データを選択し易くすることができる。
【０００８】
また、この発明による電子音楽装置において、各音楽データ（Ｄｍ）に付与される付随情報（Ａｄ）には、ジャンル、拍子、ビート、メロディ楽器の指定などの複数の音楽的案内情報（Ｇｄａ，Ｇｄｂ，…：Ｇｄ）が含まれ、所定の優先順位に従って１乃至複数のアイコン（Ｉｃ）を順序付けて表示するように構成される（請求項２）。従って、この発明によれば、選択肢となる各音楽データについて共通のイメージを掴むことが更に容易になり、各音楽データの音楽的な内容を更に判り易く表示して所望の音楽データを更に選択し易くすることができる。
【発明を実施するための最良の形態】
【０００９】
以下、図面を参照しつつ、この発明の好適な実施の形態について詳述するが、これは単なる一例であって、この発明の精神を逸脱しない範囲で種々の変更が可能である。
【００１０】
〔システムの概要〕
この発明の一実施例による音楽データ利用システムの機能が組み込まれる電子音楽装置は、音楽データ利用処理を含む音楽情報処理機能を有する一種のコンピュータであり、典型的には、電子楽器のように演奏操作部及び楽音信号生成部を備える音楽専用機器が用いられ、演奏操作部や楽音信号発生部を備えるパーソナルコンピュータ（ＰＣ）のように電子楽器と同等の音楽データ処理機能を有する音楽データ処理装置を用いることもできる。図１は、この発明の一実施例による電子音楽装置のハードウエア構成ブロック図を示す。
【００１１】
音楽データ利用システムが構築される電子音楽装置は、中央処理装置（ＣＰＵ）１、ランダムアクセスメモリ（ＲＡＭ）２、読出専用メモリ（ＲＯＭ）３、外部記憶装置４、演奏操作検出回路５、設定操作検出回路６、タッチパネル検出回路７、タッチパネル表示回路８、音源回路９、効果回路１０、ＭＩＤＩインターフェース（Ｉ／Ｆ）１１、通信インターフェース（Ｉ／Ｆ）１２などを備えており、これらの要素１〜１２はバス１３を介して互いに接続される。
【００１２】
ＣＰＵ１は、所定の制御プログラムに従い、タイマ１４によるクロックを利用して音楽データ利用処理を含む種々の音楽情報処理を実行し、ＲＡＭ２は、これらの処理に際して必要な各種データを一時記憶するためのワーク領域として用いられる。ＲＯＭ３は、これらの処理を実行するために必要な各種制御プログラムや制御データ等を予め記憶しており、更に自動演奏データ等のプリセット音楽データ（Ｄｍ）を記憶しておくこともできる。ＣＰＵ１やＲＡＭ２、ＲＯＭ３などはデータ処理部を構成し、例えば、自動演奏データ再生時には、所望の自動演奏データ（曲データ）をＲＡＭ２の自動演奏用ワークエリアに格納して音源回路９及び効果回路１０に楽音生成を指示する自動演奏部として機能する。
【００１３】
外部記憶装置４は、ハードディスク（ＨＤ）や、フラッシュメモリのような書換え可能な不揮発性の半導体メモリなどの内蔵記憶媒体の外に、コンパクトディスク・リード・オンリィ・メモリ（ＣＤ−ＲＯＭ）、フレキシブルディスク（ＦＤ）、光磁気（ＭＯ）ディスク、ディジタル多目的ディスク（ＤＶＤ）、スマートメディア（登録商標）等の小型メモリカード、等々、種々の可搬性の外部記録媒体を含み、制御プログラムやデータを任意の記憶装置４に記憶することができる。例えば、ユーザにより取得或いは作成された自動演奏データ等の音楽データ（Ｄｍ）やアイコン情報対応テーブル（ＴＢ）、アイコン情報（Ｉｃ）等が記憶装置４に記憶される。
【００１４】
演奏操作検出回路５は、鍵盤などの演奏操作子１５と共に演奏操作部を構成し、演奏操作子１５に対するユーザ操作を検出し、検出された演奏操作の内容に対応する演奏データをデータ処理部に導入することができる。設定操作検出回路６は、文字・記号キー等の機械的な設定操作子１６に対するユーザ操作を検出し、タッチパネル検出回路７は、多点タッチパネル１７の操作部の各点に対するユーザ操作を検出し、それぞれ、検出された操作の内容に対応する各種情報をデータ処理部に導入する。タッチパネル表示回路８は、ＬＣＤ等のディスプレイ（表示器）で構成されるタッチパネル１７の画面表示部の表示内容をＣＰＵ１からの指令に従って制御し、各種操作に対する表示援助を行い、例えば、音楽データ利用処理の際には、音楽データ（Ｄｍ）の付随情報（Ａｄ）を利用してアイコン（Ｉｃ）で各音楽データを案内する音楽データ選択画面が表示される。なお、タッチパネルではなく、画面表示部（表示部、表示器）と操作部が別々になっていてもよい。
【００１５】
音源回路９は、演奏操作子１５の演奏操作に基づく実演奏データや記憶手段３，４からの自動演奏データに基づいて、楽音波形を表わすオーディオ形式の楽音信号を生成し、ＤＳＰを有する効果回路１０は、音源回路９からの楽音信号に効果を付与してサウンドシステム１８に出力する。音源回路９及び効果回路１０は、楽音信号生成部を構成し、設定された楽音生成パラメータに従って楽音信号を生成し効果を付与する。サウンドシステム１８は、Ｄ／Ａ変換部やアンプ、スピーカを備え、効果回路１０からの楽音信号に基づく楽音を発生する。
【００１６】
ＭＩＤＩＩ／Ｆ１１には、この電子音楽装置と同様にＭＩＤＩ音楽情報処理機能を有する外部ＭＩＤＩ機器５０が接続され、ＭＩＤＩＩ／Ｆ１１を通じてこの電子音楽装置と外部ＭＩＤＩ機器５０との間でＭＩＤＩ演奏データを授受することができる。通信Ｉ／Ｆ１２には、インターネットやローカルエリアネットワーク（ＬＡＮ）などの通信ネットワーク６０が接続され、外部のサーバコンピュータ７０等から制御プログラムや音楽データＤｍ等をダウンロードし記憶装置４に保存してこの電子音楽装置で利用することができる。
【００１７】
〔音楽データとアイコン情報〕
この発明の一実施例による音楽データ利用システムにおいては、付随情報（Ａｄ）が付加された音楽データ（Ｄｍ）を利用することができ、付随情報中に記述される種々の音楽的な案内情報（Ｇｄ）に対応付けられた種々のアイコン情報（Ｉｃ）が記憶装置４のアイコン情報記憶部（ＩＭ）に格納されており、利用可能な複数の音楽データから所望の音楽データ（Ｄｍ）を選択して楽音生成に反映させる際に、音楽データ（Ｄｍ）内の付随情報（Ａｄ）を利用して案内情報（Ｇｄ）に対応付けられたアイコン情報（Ｉｃ）により、音楽データの音楽的特徴を図柄で表わしたアイコンを表示するようにしているので、ユーザが所望の音楽データを容易に選択することができる。図２は、この発明の一実施例による音楽データ利用システムで使用される音楽データ及びアイコン情報の例を表わす。
【００１８】
このシステムで利用される音楽データＤｍは、ＲＯＭ３や記憶装置４から或いは通信ネットワーク６０及び通信Ｉ／Ｆ１２経由でサーバ７０等から取得することができ、図２（１）に一例が示される。つまり、図２（１）の左側に記号“Ｄｍ１”，“Ｄｍ２”，…，“Ｄｍｎ”で示すように、多数の音楽データＤｍを利用することができる。各音楽データＤｍは、図２（１）の中央に示すように、その本体情報部分である音楽情報チャンクＭｄに対して付随情報チャンクＡｄが付加されている。なお、記号“Ｍｄ”，“Ａｄ”は、それぞれ、設定パラメータ自体、付随情報自体を表わすのにも用いられる。
【００１９】
各音楽データＤｍの音楽情報チャンクＭｄに記録される音楽情報には、「ソング」或いは「曲データ」と呼ばれる自動演奏データ、オーディオデータ、伴奏スタイルデータ、波形データや音色パラメータで構成され「ボイス」と呼ばれる音色データ、「レジストレーション」又は単に「レジスト」と呼ばれ楽音生成パラメータをセットにした環境設定データ、等々、種々のタイプのものがある。音楽情報Ｍｄについては、以下の例では、主として自動演奏データについて説明するが、他のタイプの音楽データについても同様に適用することができる。
【００２０】
これに対して、付随情報チャンクＡｄに記述される付随情報は、図２（１）の右側に示すように、音楽情報Ｍｄの音楽的内容をテキスト形式で表わしたものであり、この音楽データＤｍの名称つまり音楽情報Ｍｄが対応している演奏曲の曲名を表わすデータ名情報（名称情報、曲名情報）Ｎｍと、音楽情報Ｍｄの音楽的内容を複数の案内項目毎に表わす音楽的案内情報Ｇｄが含まれる。図示の例では、データ名情報Ｎｍとして Song Name（曲名）：「…」が記述され、音楽的案内情報Ｇｄとして、Category（ジャンル）： 「Jazz-Fusion」（ジャズ・フュージョン）、Time Signature（拍子）：「３／４」、Ensamble（編成）：Piano Trio（ピアノトリオ）、…のように、音楽情報Ｍｄの音楽的内容が記述される。なお、データ名情報Ｎｍにはデータ番号（曲番号）を含めることができる。
【００２１】
より詳しく例示すると、以下のような項目ａ〜ｑの案内情報が、項目毎に予め用意された一定のテキスト表現形式に従って検索可能に記述され、項目ａの案内情報がデータ名情報Ｎｍと呼ばれ、項目ｂ〜ｑの案内情報が音楽的案内情報Ｇｄと呼ばれる：
ａ．曲名（曲番号を含む）
ｂ．拍子（Time Signature）：４／４，３／４，…
ｃ．テンポ
ｄ．発表年月日（原曲が制作又は発表された日付）
ｅ．制作地
ｆ．曲のジャンル（Category）： クラシック音楽（ Classical）、ジャズ・フュージョ
ン（Jazz-Fusion）、ロック（Rock）、…
ｇ．ビート（Beat）：２Beat (March)、３Beat、…、１６Beat、Suffle、Others
ｈ．メロディパートの主な楽器を表わす楽器番号
ｉ．歌唱タイプ：女性独唱、男性独唱、…、歌なし
ｊ．作曲者（Composer）
ｋ．作詞者
ｍ．編曲者
ｎ．演奏者／歌唱者
ｐ．編成（Ensemble）：オーケストラ（ Orchestra）、ピアノトリオ（Piano Trio）、…
ｑ．キーワード：ラブソング、バラード、リズミカル、…。
【００２２】
なお、付随情報Ａｄには、どの音楽データＤｍについても全ての項目の情報が含まれているとは限らない。また、作曲者が二人などというように、同種の項目について複数の情報があるかも知れない。
【００２３】
このシステムでは、上述のような種々の案内項目ｂ〜ｑの音楽的案内情報のうち、主要な案内項目、例えば、「ｆ．ジャンル」、「ｂ．拍子」、「ｊ．作曲者」、「ｇ．ビート」、「ｈ．メロディ楽器の指定」などの案内項目に関する音楽的案内情報については、音楽情報Ｍｄの音楽的特徴をアイコンでユーザに伝え易い情報であるとし、図２（２）に例示するように、アイコン対応テーブルＴＢでアイコン情報Ｉｃが対応付けられる。つまり、これらの音楽的案内情報の内容を図柄で表示するためのアイコン情報Ｉｃが記憶装置４のアイコン情報記憶部ＩＭに格納され、各音楽的案内情報の内容と各アイコン情報Ｉｃを対応付けたアイコン対応テーブルＴＢが記憶装置４のアイコン対応テーブル記憶部に格納される。ここで、アイコン情報記憶部ＩＭに記憶されるアイコン情報Ｉｃは、アイコンを表わす画像データから成る。１つの音楽的案内情報の内容に対して、画像データは、同じ図案でサイズが異なる複数の画像データの組になっていてもよい。
【００２４】
アイコン情報記憶部ＩＭには、図２（２）の右側に示すように、例示した主要案内項目ｆ，ｂ，…の音楽的案内情報の内容に対応するアイコン情報Ｉｃが記憶される。図示の例では、項目ｆのジャンル情報に対応して、クラシック音楽（ Classical）、ジャズ・フュージョン（ Jazz-Fusion）、ロック（Rock）、…のアイコン情報Ｉｃ１，Ｉｃ２，Ｉｃ３，…が示され、項目ｂ（拍子情報）以下に対するアイコン情報は図示を省略している。
【００２５】
これに対し、アイコン対応テーブル記憶部には、図２（２）の左側に示すように、主要案内項目ｆ，ｂ，…に対応して、曲のジャンル情報（Category）に関するアイコン対応テーブル（ジャンルアイコンテーブル）ＴＢａ、拍子情報（Time Signature）に関するアイコン対応テーブル（拍子アイコンテーブル）ＴＢｂ、…が、アイコン対応テーブルＴＢとして記憶装置４のアイコン対応テーブル記憶部に格納される。例えば、ジャンルアイコンテーブルＴＢａには、案内項目ｆのジャンル情報の内容がクラシック音楽（‘ Classical’）Ｇｄａ１、ジャズ・フュージョン（‘ Jazz-Fusion’）Ｇｄａ２、ロック（‘Rock’）Ｇｄａ３、…に対応して、それぞれ、クラシック音楽（ Classical）のアイコン情報Ｉｃ１、ジャズ・フュージョン（ Jazz-Fusion）のアイコン情報Ｉｃ２、ロック（Rock）のアイコン情報Ｉｃ３、…を指定（指示）或いは特定するアイコンポインタ或いはアイコンＩＤが記録される。なお、項目ｂ（拍子情報）以下のアイコン情報との対応については図示を省略している。
【００２６】
アイコン情報Ｉｃについては、主要案内項目ｆ，ｂ，…毎に、案内情報の内容に該当するアイコンがないことを図柄で表わすアイコン情報（Ｉｃｘ）を用意しておいてもよく、これは不明アイコン情報又は不明アイコン（Ｉｃｘ）と呼ばれる。また、上述のように、電子音楽装置が記憶装置４に内蔵するようにしてもよいが、サーバ装置７０に記憶しておいてもよい。また、限られた数のアイコン情報だけ電子音楽装置が内蔵し、表示する際に、不足する分のみをサーバ装置７０から取得するようにしてもよい。
【００２７】
〔音楽データ選択画面〕
この発明の一実施例による音楽データ利用システムで利用される音楽データＤｍは、上述したように、夫々に付随情報Ａｄが付与され、ＲＯＭ３や記憶装置４に記憶されており、更にサーバコンピュータ７０から取得することもできる。また、音楽データＤｍに付与された付随情報Ａｄ中の音楽的案内情報Ｇｄに対して、音楽的案内情報Ｇｄの内容に対応させたアイコン情報Ｉｃが予め記憶装置４に記憶されている。これらの音楽データから所望の音楽データを選択する際には、利用可能な複数の音楽データＤｍから取得した付随情報Ａｄ中の所定の案内情報Ｇｄに基づいて当該案内情報Ｇｄに対応するアイコン情報Ｉｃが特定され、特定されたアイコン情報Ｉｃと付随情報Ａｄ中のデータ名情報Ｎｍとによって、音楽データＤｍ毎に、所定の案内情報Ｇｄの特徴が判り易い図柄で表わされたアイコンＩｃと音楽データＤｍの名称（データ名）Ｎｍとをセットにして音楽データ選択画面に表示し、これらセットの何れかに対するユーザのタッチ操作に対応する音楽データＤｍが選択される。
【００２８】
この場合、アイコンＩｃで表示される案内情報Ｇｄは、主要な案内項目〔例えば、ジャンル（ｆ）、拍子（ｂ）、作曲者（ｊ）、ビート（ｇ）、メロディ楽器の指定（ｈ）〕から任意の案内項目を選択的に設定することができ、アイコン表示の優先順位を指定することができる。例えば、デフォルト設定では、所定の１項目、例えば、ジャンル情報がアイコン表示の対象項目に設定され、ユーザによるアイコン表示設定変更操作により、他の１項目をアイコン表示の対象項目に設定したり（「Ａ設定」と呼ぶ）、所定の複数の項目と所定の優先順位を設定する（「Ｂ設定」と呼ぶ）ことができ、Ｂ設定の場合は、所定の優先順位に従って、所定項目の案内情報に該当する１乃至複数のアイコンが順序付けて表示される。また、該当するアイコンがない（テーブルＴＢでは、所定項目の案内情報に対応するアイコン情報Ｉｃを見つけることができない）場合は、原則として、デフォルト設定やＡ設定のように、アイコン表示の対象に１つの案内項目が指定されているときはその案内項目の不明アイコン（Ｉｃｘ）が表示され、Ｂ設定のように、複数の案内項目が指定されているときには、対応する案内項目のアイコンは表示されない。さらに、Ｂ設定のように、１つの音楽データＤｍに対して複数項目のアイコンを表示する際には、各項目のアイコンは、設定された所定の優先順位に従ったサイズで表示される。
【００２９】
音楽データＤｍとして自動演奏データ（曲データ）が利用される場合は、音楽データ選択画面は曲選択画面と呼ばれ、自動演奏データＤｍの所定案内情報Ｇｄに対応するアイコンＩｃと曲名Ｎｍがセットで表示される。図３は、この発明の一実施例による音楽データ利用システムにおける曲選択画面の例を示す。選択対象の音楽データＤｍとして自動演奏データ（曲データ）を指定し、選択対象の音楽データＤｍの取得先として記憶装置４中の内蔵ＨＤＤを指定すると共に、アイコン表示をデフォルト設定とした場合、タッチパネル１７の画面表示部には、例えば、図３（１）に示すような曲選択画面Ａが表示される。図示の曲選択画面Ａでは、内蔵ＨＤＤに用意された曲データＤｍのうちの一部（３曲分）が主表示領域に表示され、上下のスクロールボタンにより前後の部分を表示させることができる。１曲分は、曲データＤｍの曲名Ｎｍ及び所定のアイコンＩｃのセットで表示され、曲名Ｎｍには曲番号が併記され、アイコンＩｃは、デフォルト設定に従ってジャンル情報（ｆ）に対応するジャンルアイコンのみに限定され、該当するアイコンがない場合は、不明アイコンが表示される。また、破線で囲まれる曲名Ｎｍの表示領域は、ユーザ操作検出域であり、曲名表示領域にユーザの手指をタッチすると、当該曲名表示領域に対応する曲データ（音楽データ）Ｄｍが適用すべき音楽データとして選択される。
【００３０】
曲選択画面Ａにおいて、主表示領域に表示されている第１列の曲データは、曲番号が「０１２」で曲名が「ワルツ・フォー・デビー」であり、ユーザは、ジャズ・フュージョン（Jazz-Fusion）のアイコンＩｃ１により、ジャンルがジャズ・フュージョンであること
がイメージで判る。また、第２列の曲データは、曲番号が「０３２」で曲名が「花のワルツ」であり、クラシック音楽（ Classical）のアイコンＩｃ２により、ジャンルがクラシック音楽であることがイメージで判る。さらに、第３列の曲データは、曲番号が「００１」で曲名が「自作のワルツ」であり、ジャンル不明アイコンＩｃｘにより、この曲データの付随情報には、ジャンル情報が記述されていないか、或いは、アイコン対応テーブルＴＢａに対応するジャンル情報の値で記述されていないことがイメージで判る。
【００３１】
選択対象の音楽データＤｍとして自動演奏データ（曲データ）を指定し、検索条件としてジャンル（Category）＝「ジャズ・フュージョン」（‘ Jazz-Fusion’）又は拍子（ Signature）＝「３／４」を指定し、アイコン表示をＢ設定とした場合には、タッチパネル１７の画面表示部に、例えば、図３（２）に示すような曲選択画面Ｂが表示される。曲選択画面Ｂでも、検索条件に合致する曲データＤｍのうちの一部（３曲分）が主表示領域に表示され、上下のスクロールボタンで表示部分を前後にスクロールすることができる。１曲分は、曲データＤｍの曲名Ｎｍ及び所定のアイコンＩｃのセットで表示され、曲名Ｎｍには曲番号が併記される。この例では、アイコン表示設定変更操作により、アイコン表示の項目が、「ジャンル」（ｆ）、「拍子」（ｂ）及び「作曲者」（ｊ）に指定され、優先順位が「１．ジャンル、２．拍子、３．作曲者」と指定されてＢ設定の状態であるため、アイコンＩｃは、該当するジャンル、拍子及び作曲者アイコンに限定して表示され、該当するアイコンがない項目についてはアイコン表示がなされない。また、１曲分における各項目のアイコンは、上述の優先順位に従って最大のサイズから表示される。なお、破線で囲まれる曲名表示領域へのタッチにより、対応する曲データ（音楽データ）Ｄｍが適用すべき音楽データに選択される点は曲選択画面Ａと同様である。
【００３２】
具体的に説明すると、曲選択画面Ｂの主表示領域の第１列には、データ名Ｎｍ：「０１２（曲番号）ワルツ・フォー・デビー（曲名）」の曲データに対するアイコンＩｃとして、ジャズ・フュージョンアイコン、３／４拍子アイコン及び作曲者Ａアイコンの３アイコンが、最大サイズから順次サイズが縮小されて表示される。第２列にも、同様に、データ名Ｎｍ：「０３２（曲番号）花のワルツ（曲名）」の曲データに対するアイコンＩｃとして、クラシック音楽アイコン、３／４拍子アイコン及び作曲者Ａアイコンの３アイコンが順次サイズが縮小されて表示される。さらに、第３列には、データ名Ｎｍ：「００１（曲番号）自作のワルツ（曲名）」の曲データに対するアイコンＩｃとして３／４拍子アイコンのみが最大サイズで表示される。このように、曲選択画面Ｂでは、Ｂ設定により、優先順位に従ったサイズで１乃至複数項目のアイコンが表示されるので、ユーザは、検索された複数の曲データのイメージを簡単に掴むことができる。
【００３３】
〔音楽データ利用処理〕
以上のように、この発明の一実施例による音楽データ利用システムでは、夫々にテキスト形式の付随情報Ａｄが付与された複数ｎの音楽データ（自動演奏データ等）Ｄｍ１〜Ｄｍｎを利用することができ、付随情報Ａｄにはデータ名情報Ｎｍ及び音楽的案内情報Ｇｄ：Ｇｄａ，Ｇｄｂ，…が含まれる。また、複数の音楽的案内情報Ｇｄａ１，Ｇｄａ２，…の夫々に対応する図柄を表わすアイコンを表示するためのアイコン情報Ｉｃ：Ｉｃ１，Ｉｃ２，…がアイコン情報記憶部ＩＭ（４）に記憶され、アイコン情報と案内情報とはアイコン対応テーブルＴＢ：ＴＢａ，ＴＢｂ，…で対応付けられている。これらの音楽データＤｍ１〜Ｄｍｎから所望の音楽データを選択して楽音信号生成部９−１０で利用する際は、音楽データ利用処理プログラムに従って、各音楽データＤｍの付随情報Ａｄを取得し、アイコン対応テーブルＴＢにより、取得した付随情報Ａｄ中の音楽的案内情報Ｇｄに対応するアイコン情報Ｉｃを取得し、付随情報Ａｄ中のデータ名情報Ｎｍと取得したアイコン情報Ｉｃとに基づいて各音楽データＤｍのデータ名Ｎｍ及びアイコンＩｃをセットで表示し、ユーザの選択操作を待つ。そして、何れかのセットに対するユーザ操作があると、操作に対応する所望の音楽データＤｍを取得し、楽音信号生成部に適用して楽音生成に反映させたり、音楽データＤｍを取得してＲＡＭ２に保持して、その音楽データＤｍに基づいてＣＰＵ１やＲＡＭ２やＲＯＭ３等からなる白動演奏部１−３が楽音信号生成部に楽音生成を指示したりする。
【００３４】
さらに、一つの音楽データＤｍには複数の音楽的案内情報Ｇｄａ，Ｇｄｂ，…が付与されており、これらの音楽的案内情報に対応してアイコン情報Ｉｃを設定することができるので、表示されるアイコンも複数になる。この場合、複数のアイコンのうちどれを表示するか、複数のアイコンを表示するとすれば、どういう配置順序で表示するかについては、電子音楽装置の機種毎に決めたり、どんな音楽データを選択しようとしているかによって決めたり、或いは、検索した場合であればその検索条件が何かによって決めたりすることができる。
【００３５】
図４は、この発明の一実施例による音楽データ利用処理を表わすフローチャートである。電子音楽装置が通常の動作モードで動作しているときに、設定操作子１６或いはタッチパネル１７の操作部に対するユーザ操作があり、音楽データ利用モードの開始が指示されると、この処理フローが開始し、ＣＰＵ１は、最初のステップＳ１で、利用する対象（読込み対象）となる音楽データの検索条件を設定すると共に、必要に応じて、アイコン表示のユーザ設定を行う。例えば、ユーザ操作に基づき、アイコン表示について案内項目を指定したり優先順位を指定してＢ設定を行う。次のステップＳ２では、設定した検索条件に合致する音楽データ（曲データ）を検索し、検索条件に合致する音楽データを示す検索結果を取得すると、ステップＳ３に進む。なお、音楽データの検索範囲には、記憶手段３，４だけでなく、サーバ装置７０を含めることができる。
【００３６】
ステップＳ３では、検索結果から、検索条件に合致する音楽データ（曲データ）を一つずつ順に選択し、選択した音楽データＤｍについて、ステップＳ４〜Ｓ７の処理を行い、名称（曲名）及び所定のアイコンを表示する。すなわち、まずステップＳ４で、選択された音楽データ（曲データ）Ｄｍの付随情報Ａｄを取得し、次のステップＳ５では、取得した付随情報Ａｄに含まれる名称情報（データ名情報）Ｎｍに基づいて当該音楽データの名称（データ名）をタッチパネル１７の画面表示部に表示し、ステップＳ６，Ｓ７に進む。
【００３７】
ステップＳ６では、取得した付随情報Ａｄに含まれる音楽的案内情報のうち必要な案内項目の案内情報に基づいて、当該案内情報に対応するアイコン情報を特定する。例えば、アイコン表示がデフォルト設定されている場合は、アイコン対応テーブルＴＢから、付随情報Ａｄ中のジャンル情報Ｇｄａ（Ｇｄ１，Ｇｄ２，Ｇｄ３，…中の何れか）に対応するアイコン情報Ｉｃを求める。また、ステップＳ１で、ユーザ操作に基づき、ジャンル、拍子及び作曲者がアイコン表示の案内項目に設定され、この順で優先順位が設定されたＢ設定の場合は、アイコン対応テーブルＴＢから、付随情報Ａｄ中のジャンル情報、拍子情報及び作曲者情報に対応して表示すべきアイコン情報Ｉｃを求めると共に、表示すべきアイコンの項目優先順位に従ってアイコンのサイズを決定する。
【００３８】
そして、続くステップＳ７で、特定されたアイコン情報Ｉｃに基づいてアイコンを表示する。例えば、付随情報Ａｄ中の名称情報Ｎｍの内容が「０１２  ワルツ・フォー・デビー」であって、付随情報Ａｄ中のジャンル情報の内容が「ジャズ・フュージョン」であり、拍子情報の内容が「３／４」であり、作曲者情報の内容が「作曲者Ａ」である音楽データ（曲データ）Ｄｍについては、デフォルト設定の場合は、図３（１）の第１列に示すように、曲名：「０１２  ワルツ・フォー・デビー」とジャズ・フュージョンアイコンＩｃ１とがセットで表示され、Ｂ設定設定の場合には、図３（２）の第２列に示すように、曲名：「０１２  ワルツ・フォー・デビー」と、大サイズの「ジャズ・フュージョン」アイコン、中サイズの「３／４」アイコン及び小サイズの「作曲者Ａ」アイコンとがセットで表示される。
【００３９】
Ｓ７のアイコン表示処理の後は、ステップＳ８に進んで、音楽データ（曲データ）を全て処理したか否かを判定し、全音楽データを処理していないときは（Ｓ８＝ＮＯ）、ステップＳ３に戻り、次の音楽データを選択して上述したステップＳ４〜Ｓ７の処理を行い、全音楽データを処理していない間は（Ｓ８＝ＮＯ）、ステップＳ３〜Ｓ８の処理を繰り返す。そして、全音楽データを処理すると（Ｓ８＝ＹＥＳ）、タッチパネル１７の画面表示部に表示されたデータ名（曲名）表示領域をユーザ操作可能に設定してユーザによる音楽データ選択操作を待ち、ユーザ操作があると、ステップＳ９に進む。
【００４０】
ステップＳ９では、ユーザの選択操作を検出し、続くステップＳ１０にて、選択操作で検出された音楽データ（曲データ）を楽音信号生成部９−１０或いはＣＰＵ１やＲＡＭ２やＲＯＭ３等からなる自動演奏部１−３に適用する。すなわち、ステップＳ１０では、選択された音楽データが曲データであれば、後で自動演奏して楽音生成するために、音楽データＤｍ内の音楽情報Ｍｄを取得しＲＡＭ２の自動演奏用ワークエリアに格納する。そして、この音楽データ利用処理を終了して元の動作モードにリターンする。元の動作モードである通常動作モードでは、ユーザの各種操作に応じて楽音生成処理をする。つまり、音楽データ利用モードで曲データを処理し、その後の元の動作モードで、ユーザが自動演奏を開始する操作をすると、自動演奏部は、ＲＡＭ２の自動演奏用ワークエリアに格納された音楽情報Ｍｄ（曲データ）に基づいて楽音信号生成部９−１０に楽音生成を指示する。
【００４１】
また、選択された音楽データが、波形データや音色パラメータで構成されるボイスである場合は、ステップＳ１０にて、音楽データＤｍ内の音楽情報Ｍｄを取得し、波形データについては音源回路９の音源メモリに格納し、各種パラメータについては、音源回路９や効果回路１０、ＲＡＭ２などの各種レジスタに格納する。その後、通常動作モードでは、楽音生成する際にボイスの設定が反映される。他のタイプの音楽データについても、同様に、各種レジスタやワークエリアに音楽情報Ｍｄが格納され、楽音生成に用いられる。
【図面の簡単な説明】
【００４２】
【図１】この発明の一実施例による電子音楽装置のハードウエア構成ブロック図である。
【図２】この発明の一実施例による音楽データ利用システムで用いられる音楽データ及びアイコン情報を説明するための図である。
【図３】この発明の一実施例による音楽データ利用システムにおける曲選択画面の例を示す。
【図４】この発明の一実施例による音楽データ利用処理を表わすフローチャートである。
【符号の説明】
【００４３】
Ｄｍ：Ｄｍ１，Ｄｍ２，…，Ｄｍｎ  音楽データ、
Ａｄ  付随情報チャンク又は付随情報、
Ｍｄ  音楽情報チャンク又は音楽情報、
Ｎｍ  或る音楽データＤｍのデータ名（曲名，名称）情報又はデータ名（曲名，名称）、
Ｇｄ：Ｇｄａ，Ｇｄｂ，Ｇｄｃ，…  或る音楽データＤｍの音楽的案内情報、
ＴＢ：ＴＢａ，ＴＢｂ，…  アイコン対応テーブル、
Ｇｄａ１，Ｇｄａ２，Ｇｄａ３，…  アイコン対応テーブルＴＢ内の音楽的案内情報、
ＩＭ  アイコン情報記憶部、
Ｉｃ：Ｉｃ１，Ｉｃ２，Ｉｃ３，…  アイコン情報又はアイコン、
Ｉｃｘ  不明アイコン情報又は不明アイコン。
【図１】
2010049032.tif 000003
【図２】
2010049032.tif 000004
【図３】
2010049032.tif 000005
【図４】
2010049032.tif 000006